(57)【要約】【課題】同時に複数の目的を達成すべく複数の揮散性の薬剤を同時に気中に放散できる送風式薬剤放散装置とする。【解決手段】装置本体１０と第１・第２薬剤保持体２０，３０と送風機４０を備え、前記装置本体１０は独立した第１・第２空気流通経路１１，１２を備え、かつ第１空気流通経路１１に第１薬剤保持体２０が取付けられ、第２空気流通経路１２に第２薬剤保持体３０が取付けられると共に、前記送風機４０を駆動することで第１・第２空気流通経路１１，１２にそれぞれ空気が流通するようにしたものでそれによって第１・第２薬剤保持体２０，３０から薬剤が同時に気中に放散される。【選択図】      図１
2005027868.tif 000002
【特許請求の範囲】
【請求項１】
第１空気流通経路１１と第２空気流通経路１２を備えている装置本体１０と、
揮散性の薬剤を保持し、かつ空気が流通することで薬剤を揮散する第１・第２薬剤保持体２０，３０と、
前記装置本体１０に取付けられ、第１・第２空気流通経路１１，１２にそれぞれ空気を流通する送風機４０で構成したことを特徴とする送風式薬剤放散装置。
【請求項２】
第１空気流通経路１１を、順次連通した第１吸込口１３ａと第１設置部１５ａと第１ファン室１６ａと第１吐出口１４ａで形成し、
第２空気流通経路１２を、順次連通した第２吸込口１３ｂと第２設置部１５ｂと第２ファン室１６ｂと第２吐出口１４ｂで形成し、
前記第１薬剤保持体２０は、前記第１設置部１５ａに着脱自在に取付けられ、
前記第２薬剤保持体３０は、前記第２設置部１５ｂに着脱自在に取付けられた請求項１記載の送風式薬剤放散装置。
【請求項３】
第１・第２設置部１５ａ，１５ｂは第１・第２挿入用開口部１ａ，１ｂを備え、
第１・第２薬剤保持体２０，３０は、前記第１・第２挿入用開口部１ａ，１ｂから挿入、抜き出し自在で、かつつまみ部２３，３３を備え、このつまみ部２３，３３が第１・第２挿入用開口部１ａ，１ｂの開口縁に接して気密すると共に、保持するようにした請求項２記載の送風式薬剤放散装置。
【請求項４】
薬剤保持体収納体５０に送風機収納体６０を着脱自在に取付けて装置本体１０とし、
前記薬剤保持体収納体５０は、連通した第１吸込口１３ａと第１設置部１５ａ及び連通した第２吸込口１３ｂと第２設置部１５ｂを有し、
前記送風機収納体６０は、連通した第１ファン室１６ａと第１吐出口１４ａ及び連通した第２ファン室１６ｂと第２吐出口１４ｂを有し、
前記薬剤保持体収納体５０に送風機収納体６０を取付けることで、前記第１設置部１５ａと第１ファン室１６ａが連通して第１空気流通経路１１を形成し、かつ前記第２設置部１５ｂと第２ファン室１６ｂが連通して第２空気流通経路１２を形成した請求項１記載の送風式薬剤放散装置。
【請求項５】
送風機４０はモータ４１でファン４２を駆動し、そのファン４２は仕切板４３に第１・第２ファン４４，４５を設けたもので、その第１ファン４４が第１ファン室１５ａ、第２ファン４５が第２ファン室１５ｂにそれぞれ位置するようにした請求項２〜４いずれか１項記載の送風式薬剤放散装置。
【発明の詳細な説明】
【０００１】
【発明の属する技術分野】
本発明は、快適な生活空間をえる為に、芳香、消臭、除菌、殺虫、害虫忌避などの目的に供する揮散性薬剤を放散する装置に関し、さらに詳しくは、複数の目的を達成する為に複数の揮散性薬剤を同時に放散することができるようにした送風式薬剤放散装置に関するものである。
【０００２】
【従来の技術】
従来から快適な生活空間を得るために、各目的に応じて芳香剤、消臭剤、除菌剤、殺虫剤、害虫忌避剤等の揮散性薬剤を気中に放散させ、香りを楽しんだり、ニオイを消したり、或いは、害虫を防除する等している。
これら揮散性薬剤を気中に放散させるものとしては、昨今、ファンを用いた送風式薬剤放散装置が、芳香剤等の揮散性薬剤を短時間で拡散させる便利性から多くの提案がされている。（例えば、特許文献１参照）
この送風式薬剤放散装置は、装置内に形成した吸い込み口と吐き出し口との気流通路にファンを具備したものであって、その吸い込み口、又は吐き出し口に揮散性薬剤を保持した薬剤保持体を配設し、ファンの回転により発生する気流に揮散性薬剤を乗せ、吐き出し口から気中へ放散するものである。
【０００３】
【特許文献１】
特開平２００２−２９１３９２号公報
【０００４】
【発明が解決しようとする課題】
前述の送風式薬剤放散装置は、個々の目的に応じた単一薬剤を利用したものであり、例えば、芳香用、消臭用、又は飛翔害虫用、匍匐害虫用等とそれぞれ専用の送風式薬剤放散装置である。
このために、それぞれの目的に応じた送風式薬剤放散装置を準備する必要がある。もし、１台の送風式薬剤放散装置で、複数の目的に使用することができれば便利である。
【０００５】
本発明は、前述の課題に鑑みなされたものであって、同時に複数の目的を達成すべく複数の揮散性の薬剤を同時に気中に放散できる送風式薬剤放散装置を提供することを目的とするものである。
【０００６】
【課題を解決するための手段】
第１の発明は、第１空気流通経路１１と第２空気流通経路１２を備えている装置本体１０と、
揮散性の薬剤を保持し、かつ空気が流通することで薬剤を揮散する第１・第２薬剤保持体２０，３０と、
前記装置本体１０に取付けられ、第１・第２空気流通経路１１，１２にそれぞれ空気を流通する送風機４０で構成したことを特徴とする送風式薬剤放散装置である。
【０００７】
第２の発明は、第１の発明において第１空気流通経路１１を、順次連通した第１吸込口１３ａと第１設置部１５ａと第１ファン室１６ａと第１吐出口１４ａで形成し、
第２空気流通経路１２を、順次連通した第２吸込口１３ｂと第２設置部１５ｂと第２ファン室１６ｂと第２吐出口１４ｂで形成し、
前記第１薬剤保持体２０は、前記第１設置部１５ａに着脱自在に取付けられ、
前記第２薬剤保持体３０は、前記第２設置部１５ｂに着脱自在に取付けられた送風式薬剤放散装置である。
【０００８】
第３の発明は、第２の発明において第１・第２設置部１５ａ，１５ｂは第１・第２挿入用開口部１ａ，１ｂを備え、
第１・第２薬剤保持体２０，３０は、前記第１・第２挿入用開口部１ａ，１ｂから挿入、抜き出し自在で、かつつまみ部２３，３３を備え、このつまみ部２３，３３が第１・第２挿入用開口部１ａ，１ｂの開口縁に接して気密すると共に、保持するようにした送風式薬剤放散装置である。
【０００９】
第４の発明は、第１の発明において薬剤保持体収納体５０に送風機収納体６０を着脱自在に取付けて装置本体１０とし、
前記薬剤保持体収納体５０は、連通した第１吸込口１３ａと第１設置部１５ａ及び連通した第２吸込口１３ｂと第２設置部１５ｂを有し、
前記送風機収納体６０は、連通した第１ファン室１６ａと第１吐出口１４ａ及び連通した第２ファン室１６ｂと第２吐出口１４ｂを有し、
前記薬剤保持体収納体５０に送風機収納体６０を取付けることで、前記第１設置部１５ａと第１ファン室１６ａが連通して第１空気流通経路１１を形成し、かつ前記第２設置部１５ｂと第２ファン室１６ｂが連通して第２空気流通経路１２を形成した送風式薬剤放散装置である。
【００１０】
第５の発明は、第２〜第４いずれか１つの発明において送風機４０はモータ４１でファン４２を駆動し、そのファン４２は仕切板４３に第１・第２ファン４４，４５を設けたもので、その第１ファン４４が第１ファン室１５ａ、第２ファン４５が第２ファン室１５ｂにそれぞれ位置するようにした送風式薬剤放散装置である。
【００１１】
【作  用】
第１の発明によれば、送風機４０を駆動することで第１・第２空気流通経路１１，１２にそれぞれ独立して空気が流れ、第１・第２薬剤保持体２０，３０にそれぞれ保持された薬剤が気中に放散される。
したがって、第１・第２薬剤保持体２０，３０に保持した薬剤を目的の異なるものとすることで、同時に複数の目的を達成すべく複数の揮散性薬剤を同時に気中に放散できる。
また、揮散性の薬剤を保持した第１・第２薬剤保持体２０，３０を設置したことで、今まで混合することができなかった薬剤の使用、揮散速度の違う薬剤の使用、効能の異なる薬剤の使用、薬剤の使用量の増量、使用薬剤の種類による使い分け、等が可能となり、例えば、日常生活で、生活廃棄物やトイレ等から発生する種々の悪臭成分の混ざったニオイの問題、多湿での押入れや台所収納場所等から発生するカビやニオイの問題、又は、蚊や蛾等の飛翔害虫、ゴキブリ、アリ等の匍匐害虫による衛生上の被害等に対して、或いは、香り等による安らげる環境作り、除菌や消臭等による衛生的な環境作りなどに対して、それぞれに適した揮散性薬剤を選択し、同時に準備することができることから、快適な生活空間を得ることができる。
【００１２】
第２の発明によれば、第１・第２薬剤保持体２０，３０を取付け、取り外しできるから、その第１・第２薬剤保持体２０，３０を異なる薬剤を保持したものと交換したり、使用終了後に新らしいものと交換できる。
【００１３】
第３の発明によれば、つまみ部２３，３３を持って容易に取付け、取外しできる。
また、つまみ部２３，３３が第１・第２挿入用開口部１ａ，１ｂの開口縁に接して気密するので、その第１・第２挿入用開口部１ａ，１ｂから空気が流れることがなく、薬剤は第１・第２吐出口１４ａ，１４ｂからのみ確実に気中に放散できる。
【００１４】
第４の発明によれば、薬剤保持体収納体５０に第１・第２薬剤保持体２０，３０を取付け、その後に薬剤保持体収納体５０に送風機収納体６０を取付けることで組立でき、その組立てが容易である。
【００１５】
第５の発明によれば、送風機４０は１つのモータ４１を具備したものにできるから、送風機４０自体がコンパクトになって、コンパクトな薬剤放散装置とすることができる。
【００１６】
【発明の実施の形態】
本発明の第１の実施の形態を説明する。
図１に示すように、装置本体１０と第１薬剤保持体２０と第２薬剤保持体３０と送風機４０で送風式薬剤放散装置を構成している。
前記装置本体１０は第１空気流通経路１１と第２空気流通経路１２を備えている。
前記第１・第２薬剤保持体２０，３０は揮散性の薬剤を保持し、かつ空気が流通することで揮散する。
前記第１薬剤保持体２０が装置本体１０に、第１空気流通経路１１に位置して取付けられる。好ましくは着脱自在に取付けられる。
前記第２薬剤保持体３０が装置本体１０に、第２空気流通経路１２に位置して取付けられる。好ましくは着脱自在に取付けられる。
前記送風機４０は装置本体１０に取付けられ、前記第１空気流通経路１１と第２空気流通経路１２にそれぞれ空気を流通させる。
【００１７】
このようであるから、送風機４０を駆動することで第１・第２空気流通経路１１，１２にそれぞれ独立して空気が流れ、第１・第２薬剤保持体２０，３０にそれぞれ保持された薬剤が気中に放散される。
したがって、第１・第２薬剤保持体２０，３０に保持した薬剤を目的の異なるものとすることで、同時に複数の目的を達成すべく複数の揮散性薬剤を同時に気中に放散できる。
【００１８】
また、揮散性の薬剤を保持した第１・第２薬剤保持体２０，３０を設置したことで、今まで混合することができなかった薬剤の使用、揮散速度の違う薬剤の使用、効能の異なる薬剤の使用、薬剤の使用量の増量、使用薬剤の種類による使い分け、等が可能となり、例えば、日常生活で、生活廃棄物やトイレ等から発生する種々の悪臭成分の混ざったニオイの問題、多湿での押入れや台所収納場所等から発生するカビやニオイの問題、又は、蚊や蛾等の飛翔害虫、ゴキブリ、アリ等の匍匐害虫による衛生上の被害等に対して、或いは、香り等による安らげる環境作り、除菌や消臭等による衛生的な環境作りなどに対して、それぞれに適した揮散性薬剤を選択し、同時に準備することができることから、快適な生活空間を得ることができる。
【００１９】
次に、各部材の具体形状の一例を説明する。
前記第１空気流通経路１１は第１吸込口１３ａと第１吐出口１４ａを連通し、その途中に第１設置部１５ａと第１ファン室１６ａを有している。
前記第２空気流通経路１２は第２吸込口１３ｂと第２吐出口１４ｂを連通し、その途中に第２設置部１５ｂと第２ファン室１６ｂを有している。
例えば、前記装置本体１０は図１と図２に示すように、上面板１と一側面板２と他側面板３と一端面板４と他端面板５と底面板６と一端中間縦板７と他端中間縦板８を有する略箱形状で、その上面板１の一端寄りに第１吐出口１４ａ、他端寄りに第２吐出口１４ｂが形成してある。
【００２０】
前記一端面板４に第１吸込口１３ａが形成されていると共に、一端中間縦板７に開口７ａが形成され、第１空気流通経路１１を形成している。
前記他端面板５に第２吸込口１３ｂが形成されていると共に、他端中間縦板８に開口８ａが形成され、第２空気流通経路１２を形成している。
前記上面板１における一端面板４と一端中間縦板７との間の部分に第１挿入用開口部１ａが形成され、その間の部分が第１設置部１５ａで、一端中間縦板７よりも他端寄り部分が第１ファン室１６ａである。
前記上面板１における他端面板５と他端中間縦板８との間の部分に第２挿入用開口部１ｂが形成され、その間の部分が第２設置部１５ｂで、他端中間縦板８よりも一端寄り部分が第２ファン室１６ｂである。
【００２１】
前記第１・第２薬剤保持体２０，３０は図３に示すように、前記第１・第２挿入用開口部１ａ，１ｂから第１・第２設置部１５ａ，１５ｂに挿入して設置できる容器形状で、その内部に揮散性の薬剤を担時した担持体２１，３１がそれぞれ充填してあると共に、両側面に通気孔２２，３２がそれぞれ形成されている。
また、上面につまみ部２３，３３がそれぞれ設けてあり、このつまみ部２３，３３が第１・第２挿入用開口部１ａ，１ｂの開口縁に接して気密すると共に、落下したり、がたついたりしないように保持すると共に、そのつまみ部２３，３３を持って挿入、抜き出しできるようにしてある。
【００２２】
前記送風機４０はモータ４１とファン４２を備え、そのモータ４１が他端中間縦板８に取付けてあり、ファン４２が第１・第２ファン室１６ａ，１６ｂに位置している。
この実施の形態では、ファン４２は図４に示すように、仕切板４３の両側面に第１・第２ファン４４，４５を取付けたもので、図１に示すように仕切板４３によって第１ファン室１６ａと第２ファン室１６ｂを区画し、第１・第２ファン室１６ａ，１６ｂに第１・第２ファン４４，４５がそれぞれ位置している。好ましくは、装置本体１０の内面に仕切り用突起１０ａを設け、この仕切り用突起１０ａと仕切板４３で区画する。
このようであるから、モータ４１が１つで良いと共に、ファン４２がコンパクトになるから、送風機４０全体がコンパクトである。
【００２３】
図１に示すように、装置本体１０内には電池収納室１０ｂが形成され、その電池収納室１０ｂ内に電池９が収納してある。
この電池９によって前述の送風機４０のモータ４１が駆動される。
【００２４】
前記第１・第２薬剤保持体２０，３０は図５に示すように前後方向に通気するハニカム構造体２４，３４に揮散性の薬剤を含浸させ、その外周を保護枠２５，３５でガードしたものでも良い。
【００２５】
次に、本発明の第２の実施の形態を図６と図７に基づいて説明する。
この実施の形態は、装置本体１０を薬剤保持体収納体５０と送風機収納体６０より構成したことが第１の実施の形態と相違し、他の構成は同様である。
前記薬剤保持体収納体５０は底部５１と一側立上り部５２と他側立上り部５３でほぼ上向きコ字状の凹陥部５４を有する形状で、その底部５１に電池収納室５１ａが形成してある。
前記一側立上り部５２は第１吸込口１３ａと、この第１吸込口１３ａと連続した第１設置部１５ａを有し、この第１設置部１５ａは内側面５２ａ（つまり、凹陥部５４の一側内面）に開口している。
前記他側立上り部５３は第２吸込口１３ｂと、この第２吸込口１３ｂと連続した第２設置部１５ｂを有し、この第２設置部１５ｂは内側面５３ａ（つまり、凹陥部５４の他側内面）に開口している。
【００２６】
具体的には、前記一側立上り部５２と他側立上り部５３は底部５１の上面と連続した筒体５５の外側開口縁に内向フランジ５６を一体的に設けた形状で、その内向フランジ５６が第１・第２吸込口１３ａ，１３ｂを形成すると共に、各筒体５５が第１・第２設置部１５ａ，１５ｂを形成している。
前記各筒体５５に沿って突片５７がそれぞれ一体的に設けてあり、この突起５７は底部５１まで連続している。
【００２７】
前記送風機収納体６０は第１・第２吐出口１４ａ，１４ｂと第１・第２ファン室１６ａ，１６ｂを有し、その第１・第２ファン室１６ａ，１６ｂは第１・第２開口部６１，６２で外部に開口している。
この送風機収納体６０は、前記薬剤保持体収納体５０に着脱自在に取付けられ、その第１・第２ファン室１６ａ，１６ｂが第１・第２設置部１５ａ，１５ｂとそれぞれ連通して前述の第１・第２空気流通経路１１，１２を形成する。
【００２８】
具体的には、送風機収納体６０は断面ほぼ下向きＵ字形状の外殻板６３と、この外殻板６３の内面に固着した一側縦板６４、他側縦板６５と、その一側縦板６４、他側縦板６５に亘って固着した下面板６６で第１・第２ファン室１６ａ，１６ｂを有する形状で、この第１・第２ファン室１６ａ，１６ｂに送風機４０が前述と同様にして取付けてあると共に、外殻板６３に複数のスリットが第１・第２ファン室１６ａ，１６ｂに開口して形成されて前述の第１・第２吐出口１４ａ，１４ｂを形成している。
前記一側縦板６４、他側縦板６５に前述の第１・第２開口部６１，６２がそれぞれ形成してあると共に、この一側縦板６４、他側縦板６５の間隔が前記凹陥部５４の間隔（幅）と同一である。
前記外殻板６３の両側部は一側面板６４、他側面板６５よりも突出し、その突出した両側部に沿って内向フランジ６７がそれぞれ一体的に設けてあり、この内向フランジ６７と一側面板６４、他側面板６５との間に嵌合凹部６８をそれぞれ形成している。
【００２９】
前記第１・第２薬剤保持体２０，３０は、前記筒体５５内に挿入されると共に、内向フランジ５６に当接する外向フランジ２６，３６を有する容器形状で、その内部に前記担持体２１，３１が充填してあると共に、通気孔２２，３２を有する。
【００３０】
そして、送風機収納体６０の一側板６４、他側板６５が薬剤保持体収納体５０の凹陥部５４の両側内面に接すると共に、両側の内向フランジ６７が両側の突片５７に接して送風機収納体６０と薬剤保持体収納体５０が取付けられる。
【００３１】
前述の実施の形態では、第１・第２設置部１５ａ，１５ｂを装置本体１０に設けて第１・第２薬剤保持体２０，３０を装置本体１０に取付け、送風機４０は送風のみとしたが、これに限ることはなく、送風機４０側に第１・第２設置部１５ａ，１５ｂを設けて第１・第２薬剤保持体２０，３０を送風機４０に取付けるようにしても良い。
例えば、図示は省略するが送風機４０の第１・第２ファン４４，４５に第１・第２設置部１５ａ，１５ｂをそれぞれ形成し、その第１・第２設置部１５ａ，１５ｂに第１・第２薬剤保持体２０，３０を取付け、送風と同時に第１・第２薬剤保持体２０，３０が回転するようにする。
【００３２】
前述のようにした場合には、仕切板４３に第１・第２ファン４４，４５を設けたファン４２を着脱自在として薬剤交換、補給するようにすることが好ましい。
例えば、装置本体１０を開閉自在なカバー体を有する形状とし、そのカバー体を開放することでファン４２をモータ４１の回転軸に取付け、取外し自在とする。
【００３３】
また、第１設置部１５ａを装置本体１０に設けると共に、第２設置部１５ｂを送風機４０に設け、その第１設置部１５ａに第１薬剤保持体２０を着脱自在に取付けるようにしても良い。
【００３４】
【発明の効果】
請求項１に係る発明によれば、送風機４０を駆動することで第１・第２空気流通経路１１，１２にそれぞれ独立して空気が流れ、第１・第２薬剤保持体２０，３０にそれぞれ保持された薬剤が気中に放散される。
したがって、第１・第２薬剤保持体２０，３０に保持した薬剤を目的の異なるものとすることで、同時に複数の目的を達成すべく複数の揮散性薬剤を同時に気中に放散できる。
また、揮散性の薬剤を保持した第１・第２薬剤保持体２０，３０を設置したことで、今まで混合することができなかった薬剤の使用、揮散速度の違う薬剤の使用、効能の異なる薬剤の使用、薬剤の使用量の増量、使用薬剤の種類による使い分け、等が可能となり、例えば、日常生活で、生活廃棄物やトイレ等から発生する種々の悪臭成分の混ざったニオイの問題、多湿での押入れや台所収納場所等から発生するカビやニオイの問題、又は、蚊や蛾等の飛翔害虫、ゴキブリ、アリ等の匍匐害虫による衛生上の被害等に対して、或いは、香り等による安らげる環境作り、除菌や消臭等による衛生的な環境作りなどに対して、それぞれに適した揮散性薬剤を選択し、同時に準備することができることから、快適な生活空間を得ることができる。
【００３５】
請求項２に係る発明によれば、第１・第２薬剤保持体２０，３０を取付け、取り外しできるから、その第１・第２薬剤保持体２０，３０を異なる薬剤を保持したものと交換したり、使用終了後に新らしいものと交換できる。
【００３６】
請求項３に係る発明によれば、つまみ部２３，３３を持って容易に取付け、取外しできる。
また、つまみ部２３，３３が第１・第２挿入用開口部１ａ，１ｂの開口縁に接して気密するので、その第１・第２挿入用開口部１ａ，１ｂから空気が流れることがなく、薬剤は第１・第２吐出口１４ａ，１４ｂからのみ確実に気中に放散できる。
【００３７】
請求項４に係る発明によれば、薬剤保持体収納体５０に第１・第２薬剤保持体２０，３０を取付け、その後に薬剤保持体収納体５０に送風機収納体６０を取付けることで組立でき、その組立てが容易である。
【００３８】
請求項５に係る発明によれば、送風機４０は１つのモータ４１を具備したものにできるから、送風機４０自体がコンパクトになって、コンパクトな薬剤放散装置とすることができる。
【図面の簡単な説明】
【図１】本発明の第１の実施の形態を示す送風式薬剤放散装置の断面図である。
【図２】装置本体の斜視図である。
【図３】第１・第２薬剤保持体の斜視図である。
【図４】送風機のファンの斜視図である。
【図５】第１・第２薬剤保持体の他の実施の形態を示す斜視図である。
【図６】本発明の第２の実施の形態を示す送風式薬剤放散装置の断面図である。
【図７】薬剤保持体収納体と送風機収納体と第１・第２薬剤保持体の分解斜視図である。
【符号の説明】
１ａ…第１挿入用開口部、１ｂ…第２挿入用開口部、１０…装置本体、１１…第１空気流通経路、１２…第２空気流通経路、１３ａ…第１吸込口、１３ｂ…第２吸込口、１４ａ…第１吐出口、１４ｂ…第２吐出口、１５ａ…第１設置部、１５ｂ…第２設置部、１６ａ…第１ファン室、１６ｂ…第２ファン室、２０…第１薬剤保持体、３０…第２薬剤保持体、４０…送風機、４１…モータ、４２…ファン、４３…仕切板、４４…第１ファン、４５…第２ファン、５０…薬剤保持体収納体、６０…送風機収納体。
【図１】
2005027868.tif 000003
【図２】
2005027868.tif 000004
【図３】
2005027868.tif 000005
【図４】
2005027868.tif 000006
【図５】
2005027868.tif 000007
【図６】
2005027868.tif 000008
【図７】
2005027868.tif 000009